(57)【特許請求の範囲】
【請求項１】
天井面に固定する下向きチャンネル状の天井レールと、該天井レールに摺動自在に収納する支持材と、前記天井レールに対して上下に相対移動自在に組み合わせるパネル用の上枠材と、該上枠材の下面に取り付ける固定プレートと、前記上枠材の長孔を介して前記支持材のねじ孔にねじ込むアジャストボルトとを備えてなり、前記支持材は、前記天井レール内の下向きチャンネル状のガイド材を介して前記天井レールに収納し、前記ガイド材の下端の相対向する一対の内フランジを介して抱持する一方、前記アジャストボルトは、前記固定プレートに形成するスリットに係合して前記固定プレートを上下に拘束する係合溝を有し、前記固定プレートを介して前記上枠材を高さ調節することを特徴とする間仕切装置における上枠材の取付構造。
【請求項２】
前記ガイド材は、前記支持材の長さの２〜５倍の長さに形成することを特徴とする請求項１記載の間仕切装置における上枠材の取付構造。
【請求項３】
前記ガイド材は、前記天井レール相当の長さに形成することを特徴とする請求項１記載の間仕切装置における上枠材の取付構造。
【請求項４】
請求項１ないし請求項３のいずれか記載の間仕切装置における上枠材の取付構造と、前記上枠材と同一断面形状の下枠材と、前記上枠材、下枠材を介して取り付けるパネルとを備えてなる間仕切装置。
【発明の詳細な説明】
【技術分野】
【０００１】
この発明は、ガラス板を含むパネルを取り付けるための間仕切装置における上枠材の取付構造と、それを使用する間仕切装置に関する。
【背景技術】
【０００２】
ガラス板を含むパネル用の上枠材、下枠材をそれぞれ天井面の天井レール、床面の幅木レールに対して高さ調節可能に装着する間仕切装置が提案されている（特許文献１）。
【０００３】
従来の間仕切装置の上枠材は、天井レール内にねじ止めする吊支金具のねじ孔にアジャストボルトを上向きにねじ込むとともに、アジャストボルトの下端の受け板を介して吊支する。一方、下枠材は、幅木レール内にねじ止めする支持金具のねじ孔にアジャストボルトを下向きにねじ込むとともに、アジャストボルトの上端の受け板を介して支承する。なお、天井レール内の吊支金具、幅木レール内の支持金具は、それぞれ天井レール、幅木レールの固定用のアンカボルトと共締めされて固定されている。
【先行技術文献】
【特許文献】
【０００４】
【特許文献１】特開２０１４−８８７４５号公報
【発明の概要】
【発明が解決しようとする課題】
【０００５】
かかる従来技術によるときは、上枠材用の吊支金具、下枠材用の支持金具は、それぞれ天井レール、幅木レール内に固定されているため、アジャストボルトを介して上枠材を吊支し、下枠材を支承させるとき、アジャストボルトと、吊支金具、支持金具の各ねじ孔との位置合せが極めて煩雑であり、作業効率が阻害されがちであるという問題があった。加えて、吊支金具を天井レールの両端部にしか設けない場合には、上枠材の中間部が上下に撓む可能性があり、パネルが上枠材から外れたり、上枠材がパネルに当たったりするおそれがあるという問題があった。
【０００６】
そこで、この発明の目的は、かかる従来技術の問題に鑑み、アジャストボルト用の支持材を天井レールに摺動自在に収納することによって、作業効率を向上させるとともに、上枠材の有害な撓みを効果的に阻止することができる間仕切装置における上枠材の取付構造と、それを使用する間仕切装置を提供することにある。
【課題を解決するための手段】
【０００７】
かかる目的を達成するためのこの出願に係る第１発明（請求項１に係る発明をいう、以下同じ）の構成は、天井面に固定する下向きチャンネル状の天井レールと、天井レールに摺動自在に収納する支持材と、天井レールに対して上下に相対移動自在に組み合わせるパネル用の上枠材と、上枠材の下面に取り付ける固定プレートと、上枠材の長孔を介して支持材のねじ孔にねじ込むアジャストボルトとを備えてなり、支持材は、天井レール内の下向きチャンネル状のガイド材を介して天井レールに収納し、ガイド材の下端の相対向する一対の内フランジを介して抱持する一方、アジャストボルトは、固定プレートに形成するスリットに係合して固定プレートを上下に拘束する係合溝を有し、固定プレートを介して上枠材を高さ調節することをその要旨とする。
【０００９】
また、ガイド材は、支持材の長さの２〜５倍の長さに形成してもよく、天井レール相当の長さに形成してもよい。
【００１１】
第２発明（請求項４に係る発明をいう、以下同じ）の構成は、第１発明に係る間仕切装置における上枠材の取付構造と、上枠材と同一断面形状の下枠材と、上枠材、下枠材を介して取り付けるパネルとを備えることをその要旨とする。
【発明の効果】
【００１２】
かかる第１発明の構成によるときは、アジャストボルト用のねじ孔を有する支持材は、天井レールの長さ方向に摺動自在に収納され、天井レールに組み合わせる上枠材の下面には、固定プレートが取り付けられている。一方、固定プレートのスリットに係合して固定プレートを上下に拘束する係合溝付きのアジャストボルトは、上枠材の長孔を介して支持材のねじ孔にねじ込むことができる。すなわち、アジャストボルトは、上枠材の長孔を介して天井レールの長さ方向に位置調節可能であり、同様に位置調節可能な支持材のねじ孔に対し、容易に位置決めしてねじ込むことができる。また、固定プレートは、支持材にねじ込み済のアジャストボルトにスリットを係合させて上枠材の下面に固定すればよく、全体として良好な作業効率を実現することができる。なお、支持材、固定プレート、アジャストボルトは、天井レール、上枠材の長さ方向に適切なピッチごとに配置することにより、上枠材の上下方向の撓みを有効に排除することができる。
【００１３】
天井レール内に固定するガイド材は、天井レールを補強するとともに、下端の内フランジを介して支持材を安定に摺動自在に抱持することができる。
【００１４】
支持材の長さの２〜５倍のガイド材は、いずれかの一端側から支持材を内部に挿入することができる。なお、ガイド材が支持材の２倍未満であると、ガイド材内における支持材の摺動姿勢が安定しないおそれがあり、５倍超であると、ガイド材が長過ぎるため、支持材の挿入が不便になりがちである。
【００１５】
天井レールの長さ相当のガイド材は、天井レールの補強効果を最大にすることができる。ただし、このときのガイド材は、下端の内フランジに対し、支持材を挿入するための切欠きを適当なピッチごとに形成するものとする。
【００１６】
支持材は、天井レールの下端の内フランジを介して抱持することにより、ガイド材を使用する必要がない。ただし、このときの天井レールも、内フランジに対し、支持材の挿入用の切欠きを適当なピッチごとに形成する。
【００１７】
第２発明の構成によるときは、第１発明の特徴を有する間仕切装置を構築するとともに、上枠材、下枠材の材料を共通化することができる。
【図面の簡単な説明】
【００１８】
【図１】要部拡大縦断面図
【図２】主要部材の構成説明図
【図３】組付手順説明図（１）
【図４】組付手順説明図（２）
【図５】他の実施の形態を示す図１相当図
【図６】他の実施の形態を示す図３相当図（１）
【図７】他の実施の形態を示す図３相当図（２）
【図８】他の実施の形態を示す図３相当図（３）
【発明を実施するための形態】
【００１９】
以下、図面を以って発明の実施の形態を説明する。
【００２０】
間仕切装置は、天井面Ｃ側の上枠材１１、床面Ｆ側の下枠材１２を介し、ガラス板の前後のパネルＰ、Ｐを取り付けてなる（図１）。
【００２１】
上枠材１１は、天井面Ｃに固定する下向きチャンネル状の天井レール２１と組み合わされている。天井レール２１は、天井面Ｃの上面に敷設する補強レール２１ａ、複数の止めねじ２１ｂ、２１ｂ…を介して天井面Ｃに固定されている。ただし、図１には、単一の止めねじ２１ｂのみが図示されている。
【００２２】
天井レール２１には、下向きチャンネル状のガイド材２２が内装されて固定されており、ガイド材２２には、上向きチャンネル状の支持材２３が収納されている。ガイド材２２の下端には、相対向する内フランジ２２ａ、２２ａが形成され、支持材２３は、内フランジ２２ａ、２２ａを介し、図１の紙面に垂直方向の天井レール２１、ガイド材２２の長さ方向に摺動自在に抱持されている。なお、支持材２３は、底面中央部に上向きのエンボスを介してねじ孔２３ａを形成するとともに（図２（Ａ）、（Ｂ））、上向きの両辺の上端を内向きの鈍角に屈折させて屈折部２３ｂ、２３ｂが形成されている。ただし、図２（Ａ）、（Ｂ）は、それぞれ支持材２３の正面図、上面図である。そこで、支持材２３は、ガイド材２２を介して天井レール２１に摺動自在に収納されており（図１）、ガイド材２２の長さは、支持材２３の長さの２〜５倍に設定されているものとする。
【００２３】
上枠材１１は、支持材２３のねじ孔２３ａにねじ込むアジャストボルト２４と、上枠材１１の下面に固定し、アジャストボルト２４に係合する固定プレート２５とを介して吊支されている。
【００２４】
上枠材１１は、前後対称断面のアルミニウム押出形材である（図１、図２（Ｃ））。上枠材１１は、水平の平板部１１ａの両端部に起立部１１ｂ、１１ｂを立設し、起立部１１ｂ、１１ｂの上端部には、シール１３、１３用の内向きのポケット１１ｃ、１１ｃが相対向して形成されている。また、平板部１１ａの下面側両端部には、パネルＰ、Ｐ用の下向きのポケット１１ｄ、１１ｄが形成され、各ポケット１１ｄの外側壁の下端には、ガラスビート１４が装着可能であり、各ポケット１１ｄの内側壁の間には、カバー１５が着脱自在に装着可能である。なお、平板部１１ａの中央には、アジャストボルト２４用の長孔１１ｅ、１１ｅ…が適当なピッチごとに形成されている。ただし、図２（Ｃ）には、１個の長孔１１ｅのみが図示されている。
【００２５】
アジャストボルト２４は、全ねじの六角ボルトの首元に係合溝２４ａが形成されている（図１、図２（Ｄ））。一方、固定プレート２５は、長方形の板材の４隅部に止めねじ２５ａ用のざぐり孔２５ｂ、２５ｂ…を設けるとともに（図１、図２（Ｅ））、一方の短辺側に開口するスリット２５ｃが長辺方向に形成されている。なお、スリット２５ｃの幅ｄは、アジャストボルト２４の係合溝２４ａの底部の外径ｄ1 、ねじ部の外径ｄ2 に対し、ｄ1 ＜ｄ＜ｄ2 に設定されている。また、係合溝２４ａの溝幅は、固定プレート２５の板厚より僅かに大きいものとする。
【００２６】
固定プレート２５は、止めねじ２５ａ、２５ａ…を介して上枠材１１の下面にねじ止めして取り付けられている。一方、アジャストボルト２４は、係合溝２４ａを固定プレート２５のスリット２５ｃに進入させて係合させることにより、係合溝２４ａを介して固定プレート２５を上下に拘束するとともに、支持材２３のねじ孔２３ａに対するねじ込み長さを調節することにより、固定プレート２５を介して上枠材１１の高さ位置を任意に調節設定することができる。
【００２７】
床面Ｆ側の下枠材１２は、上枠材１１と同一断面形状のアルミニウム押出形材である（図１）。
【００２８】
下枠材１２は、上枠材１１を上下に反転させるようにして、アンカボルト３１ａを介して床面Ｆ上に固定する上向きチャンネル状の幅木レール３１に組み合わされている。幅木レール３１内には、アジャストボルト３２用の下向きチャンネル状のベース材３３が収納されており、アジャストボルト３２は、ベース材３３上にセットするナット３２ａにねじ込むことにより、上端部に係合する補強板３４、下向きチャンネル状の可動材３５を介して下枠材１２を高さ調節可能に支承している。なお、アジャストボルト３２のすり割付きの上端は、下枠材１２の上方にまで突出している。また、下枠材１２には、上枠材１１に対すると同様に、シール１３、１３、ガラスビート１４、１４、カバー１５が付設され、さらに、パネルＰ、Ｐの下端を支持するセッティングブロック１６、１６が組み込まれている。
【００２９】
天井レール２１に対する上枠材１１の組付け手順は、たとえば図３、図４のとおりである。
【００３０】
まず、天井レール２１の所定位置にガイド材２２を挿入し、止めねじ２２ｂ、２２ｂを介して固定する（図３（Ａ））。次に、天井レール２１内のガイド材２２の一端側から支持材２３を挿入すると（図３（Ｂ））、支持材２３は、ガイド材２２の下端の内フランジ２２ａ、２２ａを介して抱持され（図３（Ｃ））、ガイド材２２の長さ方向に摺動可能である。そこで、長孔１１ｅを有する上枠材１１を天井レール２１、ガイド材２２、支持材２３の下方から組み合わせる（同図）。
【００３１】
つづいて、上枠材１１の長孔１１ｅを介し、アジャストボルト２４を支持材２３のねじ孔２３ａに上向きにねじ込む（図４（Ａ））。このとき、長孔１１ｅを介して支持材２３のねじ孔２３ａが目視できるため、アジャストボルト２４の位置決めやねじ込みは、極めて容易である。その後、上枠材１１の下面に沿って固定プレート２５をアジャストボルト２４に向けて挿入し（図４（Ｂ））、固定プレート２５のスリット２５ｃにアジャストボルト２４の係合溝２４ａを係合させ、止めねじ２５ａ、２５ａ…を介して固定プレート２５を上枠材１１の下面に固定する（図４（Ｃ））。そこで、アジャストボルト２４を回転させると、固定プレート２５を介して上枠材１１を任意に高さ調節することができる。
【他の実施の形態】
【００３２】
ガラス板のパネルＰは、前後の一対とするに代えて、前または後の１枚のみとすることができる（図５）。このとき、天井面Ｃ側の上枠材１１の下面には、パネルＰを装着しない側のポケット１１ｄを併せて覆うカバー１５ａを装着すればよく、床面Ｆ側の下枠材１２の上面に対しても、同様である。
【００３３】
支持材２３、アジャストボルト２４、固定プレート２５は、天井レール２１に組み合わせる２本の上枠材１１、１１の接合部に対応させることができる（図６）。
【００３４】
各上枠材１１の相対向する先端部には、それぞれアジャストボルト２４用の長孔１１ｅの約１／２長さ相当の一端開放のスリット１１ｆが形成されている（図６（Ａ））。そこで、上枠材１１、１１の先端を突き合わせて天井レール２１に組み合わせ、スリット１１ｆ、１１ｆを介して支持材２３のねじ孔２３ａにアジャストボルト２４をねじ込み、一方の上枠材１１の下面に沿って固定プレート２５をアジャストボルト２４に向けて挿入し（図６（Ｂ））、固定プレート２５のスリット２５ｃにアジャストボルト２４の係合溝２４ａを係合させると、固定プレート２５、アジャストボルト２４を介して上枠材１１、１１の接合部を共通に高さ調節可能に吊支することができる。ただし、固定プレート２５は、双方の上枠材１１、１１の先端部下面に共通にねじ止めして固定する。
【００３５】
ガイド材２２は、天井レール２１相当の長さに形成してもよい（図７）。ガイド材２２の下端の内フランジ２２ａ、２２ａには、それぞれ所定ピッチごとに切欠き２２ｃ、２２ｃ…が相対向するようにして形成されている（図７（Ａ））。そこで、支持材２３は、相対向する一対の切欠き２２ｃ、２２ｃを介してガイド材２２に挿入し（図７（Ｂ））、さらに天井レール２１、ガイド材２２の長さ方向に移動させることにより（図７（Ｃ））、内フランジ２２ａ、２２ａを介してガイド材２２内に摺動自在に抱持させることができる。
【００３６】
ガイド材２２を省略し、支持材２３を天井レール２１に直接収納してもよい（図８）。天井レール２１の下端には、相対向する内フランジ２１ｃ、２１ｃが形成され（図８（Ａ））、内フランジ２１ｃ、２１ｃには、それぞれ支持材２３用の相対向する切欠き２１ｄ、２１ｄ…が所定ピッチごとに形成されている。そこで、支持材２３は、相対向する一対の切欠き２１ｄ、２１ｄを介して天井レール２１に挿入し、さらに天井レール２１の長さ方向に移動させることにより（図８（Ｂ））、内フランジ２１ｃ、２１ｃを介して天井レール２１内に摺動自在に抱持させることができる。
【００３７】
なお、図７、図８において、ガイド材２２の各内フランジ２２ａに形成する切欠き２２ｃ、天井レール２１の各内フランジ２１ｃに形成する切欠き２１ｄは、図示に拘らず、ガイド材２２、天井レール２１の長さに従って適当なピッチごとに適切な数を相対向させて配置すればよい。
【００３８】
以上の説明において、パネルＰは、ガラス板に限らず、木製、合成樹脂製、紙製、金属製などとしてもよい。また、パネルＰは、単一の板体であってもよく、複数の板体の積層体であってもよい。
【産業上の利用可能性】
【００３９】
この発明は、間仕切装置において、各種のパネルを簡便に、しかも安定に設置する用途
に対し、広く好適に適用することができる。
【符号の説明】
【００４０】
Ｐ…パネル
Ｃ…天井面
Ｆ…床面
１１…上枠材
１１ｅ…長孔
１２…下枠材
２１…天井レール
２１ｃ…内フランジ
２２…ガイド材
２２ａ…内フランジ
２３…支持材
２３ａ…ねじ孔
２４…アジャストボルト
２４ａ…係合溝
２５…固定プレート
２５ｃ…スリット
特許出願人      小松ウオール工業株式会社
【図１】
0006560008.tif 000002
【図２】
0006560008.tif 000003
【図３】
0006560008.tif 000004
【図４】
0006560008.tif 000005
【図５】
0006560008.tif 000006
【図６】
0006560008.tif 000007
【図７】
0006560008.tif 000008
【図８】
0006560008.tif 000009